(57)【要約】      （修正有）【課題】動画撮影中またはライブビュー動作中にピントの合った静止画を撮影する。【解決手段】焦点調節手段により測距、演算および駆動とを繰り返し実行させながら、画像生成手段により記録用動画を生成させる動画撮影モード、または画像生成手段により表示用画像を生成させるライブビューモードを実行する制御手段とを備え、制御手段は、動画撮影モードまたはライブビューモードの実行中であって、焦点調節手段による演算または駆動の実行中に静止画撮影操作がなされた場合には、焦点調節手段により測距、演算および駆動を実行させた後に画像生成手段により静止画を生成させる。【選択図】図７
2013083772.tif 000002
【特許請求の範囲】
【請求項１】
撮像用画素と焦点検出用画素とが配列された撮像素子と、
前記撮像素子に被写体像を結像させる撮影光学系と、
前記焦点検出用画素により前記撮影光学系の焦点状態を示す信号を検出する測距と、前記測距結果の前記信号に基づいて前記撮影光学系の焦点状態を検出する演算と、前記演算結果の焦点状態に基づいて前記撮影光学系の焦点調節を行う駆動とを順に実行する焦点調節手段と、
前記撮像用画素の出力に基づいて画像を生成する画像生成手段と、
前記焦点調節手段により前記測距、前記演算および前記駆動とを繰り返し実行させながら、前記画像生成手段により記録用動画を生成させる動画撮影モード、または前記画像生成手段により表示用画像を生成させるライブビューモードを実行する制御手段とを備え、
前記制御手段は、前記動画撮影モードまたは前記ライブビューモードの実行中であって、前記焦点調節手段による前記演算または前記駆動の実行中に静止画撮影操作がなされた場合には、前記焦点調節手段により前記測距、前記演算および前記駆動を実行させた後に前記画像生成手段により静止画を生成させることを特徴とするカメラ。
【請求項２】
請求項１に記載のカメラにおいて、
前記制御手段は、前記焦点調節手段により実行中の前記演算または前記駆動を停止させ、前記焦点調節手段により改めて前記測距、前記演算および前記駆動を実行させた後に前記画像生成手段により静止画を生成させることを特徴とするカメラ。
【請求項３】
請求項１に記載のカメラにおいて、
前記制御手段は、前記焦点調節手段により実行中の前記演算と前記駆動または前記駆動を終了させ、前記焦点調節手段により次の前記測距、前記演算および前記駆動を実行させた後に前記画像生成手段により静止画を生成させることを特徴とするカメラ。
【請求項４】
請求項１に記載のカメラにおいて、
前記制御手段は、前記動画撮影モードまたは前記ライブビューモードの実行中であって、前記焦点調節手段による前記測距の実行中に静止画撮影操作がなされた場合には、前記焦点調節手段により実行中の前記測距を終了させて前記演算および前記駆動を実行させた後に前記画像生成手段により静止画を生成させることを特徴とするカメラ。
【請求項５】
請求項１〜４のいずれか一項に記載のカメラにおいて、
前記撮影光学系と前記撮像素子との間にシャッターが設けられるとともに、前記焦点検出用画素は撮影画面に設定された複数の焦点検出領域のそれぞれに配列されており、
前記制御手段は、前記複数の焦点検出領域の内の焦点検出用として指定された焦点検出領域の撮影画面内の位置に応じて、前記静止画撮影の前に前記シャッターにより前記撮像素子を遮光するタイミングを変更することを特徴とするカメラ。
【発明の詳細な説明】
【技術分野】
【０００１】
本発明はカメラに関する。
【背景技術】
【０００２】
動画撮影中に静止画撮影を行うようにしたカメラが知られている。
【先行技術文献】
【特許文献】
【０００３】
【特許文献１】特開２００１−１１１８７８号公報
【発明の概要】
【発明が解決しようとする課題】
【０００４】
しかしながら、上述した従来のカメラでは、動画撮影中に静止画撮影指令が入ったら動画撮影シーケンスを変えずにそのまま静止画撮影シーケンスに移行するため、静止画撮影に最適なタイミングで測距が行われるとは限らず、常にピントの合った静止画を撮影できるものではない。
【課題を解決するための手段】
【０００５】
撮像用画素と焦点検出用画素とが配列された撮像素子と、撮像素子に被写体像を結像させる撮影光学系と、焦点検出用画素により撮影光学系の焦点状態を示す信号を検出する測距と、測距結果の信号に基づいて撮影光学系の焦点状態を検出する演算と、演算結果の焦点状態に基づいて撮影光学系の焦点調節を行う駆動とを順に実行する焦点調節手段と、撮像用画素の出力に基づいて画像を生成する画像生成手段と、焦点調節手段により測距、演算および駆動とを繰り返し実行させながら、画像生成手段により記録用動画を生成させる動画撮影モード、または画像生成手段により表示用画像を生成させるライブビューモードを実行する制御手段とを備え、制御手段は、動画撮影モードまたはライブビューモードの実行中であって、焦点調節手段による演算または駆動の実行中に静止画撮影操作がなされた場合には、焦点調節手段により測距、演算および駆動を実行させた後に画像生成手段により静止画を生成させる。
【発明の効果】
【０００６】
本発明によれば、動画撮影中またはライブビュー動作中にピントの合った静止画を撮影することができる。
【図面の簡単な説明】
【０００７】
【図１】一実施の形態のカメラの構成を示す図
【図２】一実施の形態のカメラの撮影画面に設定された十字型焦点検出領域を示す図
【図３】図２に示す十字型焦点検出領域の内の横（撮影画面４ａの長辺方向）領域における撮像用画素Ｒ、Ｇ、Ｂと焦点検出用画素Ｓ１、Ｓ２の受光領域の配置を示す部分拡大図
【図４】図２に示す十字型焦点検出領域の内の縦（撮影画面４ａの短辺方向）領域における撮像用画素Ｒ、Ｇ、Ｂと焦点検出用画素Ｓ３、Ｓ４の受光領域の配置を示す部分拡大図
【図５】従来のカメラにおける動画撮影中またはライブビュー動作中のＡＦ(Auto Focus)動作を示すタイミングチャート
【図６】従来のカメラにおける動画撮影中またはライブビュー動作中の静止画撮影動作を示すタイミングチャート
【図７】一実施の形態のカメラにおける動画撮影中またはライブビュー動作中の静止画撮影動作を示すタイミングチャート
【図８】一実施の形態のカメラにおける動画撮影中またはライブビュー動作中の他の静止画撮影動作を示すタイミングチャート
【図９】上下走行方式のフォーカルプレーンシャッターにおける後幕の走行による焦点検出領域ａ、ｋの遮光タイミングを示す図
【発明を実施するための形態】
【０００８】
図１は、一実施の形態のカメラの構成を示すブロック図である。なお、図１では本発明と直接、関係のないカメラの機器および回路の図示と説明を省略する。図１において、カメラ１は撮影レンズ２、シャッター３、撮像素子４、ＡＦＥ(Analog Front End)回路５、画像処理回路６、位相差ＡＦ回路７、シャッター駆動回路８、レンズ駆動回路９、操作部材１０、メモリ１１、モニター１２、メモリカード１３、インターフェース１４、コントローラー１５などを備えている。
【０００９】
撮影レンズ２は単レンズとして図示しているが、ズーミングレンズやフォーカシングレンズを含む複数のレンズ群で構成され、シャッター３を介して被写体像を撮像素子４の撮像面上に結像させる。シャッター３はフォーカルプレーンシャッターであり、図示しない先幕と後幕を有する。撮像素子４は、受光面に複数の画素が二次元状に配列されたＣＭＯＳイメージセンサなどから構成され、撮影レンズ２により結像された被写体像を光電変換してアナログ画像信号を出力する。
【００１０】
図２はカメラ１の撮影画面４ａを示す図である。撮影画面４ａに対応する撮像素子４の撮像面には、複数の撮像用画素と焦点検出用画素とが二次元状に配列され、これらの画素はそれぞれマイクロレンズと受光部を備えている。この一実施の形態では、撮影画面４ａの中央部の１１カ所に十字型の焦点検出領域ａ〜ｋが設定されている。
【００１１】
撮像用画素は撮影画面４ａの全域にベイヤー配列され、撮影レンズ２（図１参照）の射出瞳を通る光を受光して被写体像に応じた画像信号を出力する。一方、焦点検出用画素は、撮影画面４ａの中央に各焦点検出領域ａ〜ｋに対応して十字型の領域に配列され、撮影レンズ２の一部の領域を通る光を受光して撮影レンズ２の焦点調節状態を示す焦点検出信号を出力する。
【００１２】
図３は、十字型焦点検出領域の内の横（撮影画面４ａの長辺方向）領域における撮像用画素Ｒ、Ｇ、Ｂと焦点検出用画素Ｓ１、Ｓ２の受光領域の配置を示す部分拡大図である。また、図４は、十字型焦点検出領域の内の縦（撮影画面４ａの短辺方向）領域における撮像用画素Ｒ、Ｇ、Ｂと焦点検出用画素Ｓ３、Ｓ４の受光領域の配置を示す部分拡大図である。図３および図４において、縦横のラインで囲まれた各“マス”は撮像用画素または焦点検出用画素の領域を示す。各マスの中の実線で示す正方形および長方形はマスク開口部を示し、これらのマスク開口部を通って光が撮像用画素と焦点検出用画素の受光部に到達する。また、Ｒ、Ｇ、Ｂはそれぞれ撮像用赤画素、撮像用緑画素、撮像用青画素を表す。なお、図３および図４では各画素のマイクロレンズおよび受光部の図示を省略する。
【００１３】
この一実施の形態では撮像用画素Ｒ、Ｇ、Ｂの受光領域（マスク開口部）の形状を正四角形とした例を示すが、撮像用画素Ｒ、Ｇ、Ｂの受光領域の形状は正四角形に限定されず、例えば円形としてもよい。
【００１４】
また、この一実施の形態では焦点検出用画素Ｓ１〜Ｓ４の受光領域（マスク開口部）の形状を、撮像用画素Ｒ、Ｇ、Ｂの受光領域（マスク開口部）を縦または横に略二分した長方形とした例を示す。さらに、図３に示す横方向の対の焦点検出用画素Ｓ１とＳ２では、受光領域を画素中心に対し左と右に偏って配置する。同様に、図４に示す縦方向の対の焦点検出用画素Ｓ３とＳ４では、受光領域を画素中心に対し上と下に偏って配置する。
【００１５】
なお、焦点検出用画素の受光領域の形状は長方形に限定されず、例えば撮像用画素の受光領域（マスク開口部）が円形の場合には、焦点検出用画素の受光領域（マスク開口部）を撮像用画素の受光領域を略二分した半円形としてもよい。
【００１６】
十字型焦点検出領域の横領域では、焦点検出用画素Ｓ１とＳ２が一対になり、撮影レンズ２の射出瞳の一対の領域を通過した光を受光し、撮影レンズ２の横方向（撮影画面４ａの長辺方向）の焦点調節状態を示す焦点検出信号を出力する。また、十字型焦点検出領域の縦領域では、焦点検出用画素Ｓ３とＳ４が一対になり、撮影レンズ２の縦方向（撮影画面４ａの短辺方向）の焦点調節状態を示す焦点検出信号を出力する。
【００１７】
なお、撮影画面４ａの焦点検出領域は、撮影画面４ａの中央部に設定される限りこの一実施の形態の配置に限定されない。また、焦点検出領域の個数および形状についても、この一実施の形態の個数および形状に限定されるものではない。さらに、各焦点検出領域に対応して配列される焦点検出用画素の配置もこの一実施の形態の配置に限定されるものではない。
【００１８】
図１に戻り、ＡＦＥ回路５はアナログ画像信号に対して相関二重サンプリングやゲイン調整などのアナログ処理を行うとともに、アナログ処理後の画像信号をデジタル画像データに変換する。画像処理回路６はデジタル画像データに対して各種の画像処理（色補間処理、階調変換処理、輪郭強調処理、ホワイトバランス調整処理、画像圧縮処理、画像伸張処理など）を施す。
【００１９】
位相差ＡＦ回路７は、対の焦点検出用画素(Ｓ１，Ｓ２)、(Ｓ３，Ｓ４)から出力される焦点検出信号に基づいて、フォーカシングレンズの焦点調節状態を示すデフォーカス量を演算する。シャッター駆動回路８はシャッター３の先幕と後幕のチャージと走行を駆動制御する。レンズ駆動回路９は、撮影レンズ２のフォーカシングレンズを駆動して焦点調節を行うとともに、ズーミングレンズを駆動して焦点距離を変える。
【００２０】
操作部材１０には、レリーズ半押しおよび全押しスイッチ、ズームスイッチ、モードスイッチ、メニュースイッチ、十字スイッチ、ＯＫスイッチなどの各種スイッチ類が含まれる。
【００２１】
メモリ１１は各種プログラムや各種情報を記憶するＲＯＭ、ＲＡＭなどの記憶素子である。モニター１２は、撮像素子３により撮像したスルー画像や撮影した画像と各種情報を表示するＬＣＤである。インターフェース１４は、メモリカード１３に対する画像や各種情報データの書き込みや、メモリカード１３からの画像や各種情報データの読み込みを行う。コントローラー１５はＣＰＵとその周辺部品から構成され、撮像、露出、焦点調節（ＡＦ）、画像表示などのカメラ１の各種動作を制御する。
【００２２】
図５は、従来のカメラにおける動画撮影中またはライブビュー動作中のＡＦ(Auto Focus)動作を示すタイミングチャートである。動画撮影中またはライブビュー動作中はシャッター３の先幕が走行完了してシャッター３が開放状態にあり、撮像素子４による撮像が繰り返し行われる。撮像素子４から繰り返し読み出された画像信号はＡＦＥ回路５と画像処理回路６により処理され、記録用画像または表示用画像が生成される。記録用画像は動画像としてメモリカード１３に記録され、表示用画像はモニター１２にライブビュー画像として表示される。
【００２３】
動画撮影中またはライブビュー動作中にはまた、撮像素子４の焦点検出用画素Ｓ１〜Ｓ４（図３および図４参照）からＡＦＥ回路５を介して繰り返し焦点検出用信号が読み出され、測距が行われる。位相差ＡＦ回路７では焦点検出用信号に基づいて焦点検出演算が行われ、予め指定された焦点検出領域（図２参照）における撮影レンズ２の焦点調節状態（デフォーカス量）が検出され（この明細書ではこの動作を“測距”という）、焦点調節状態に基づいて撮影レンズ２の駆動量が演算される（この明細書では単に“演算”という）。レンズ駆動回路９は、撮影レンズ２の駆動量にしたがって撮影レンズ２を駆動し、焦点調節を行う（この明細書では単に“駆動”という）。
【００２４】
動画撮影中またはライブビュー動作中は、上述した測距、演算および駆動からなる１ＡＦサイクルが繰り返し実行される。なお、撮影条件によって測距、演算および駆動に要する時間は異なり、したがって撮影条件によって１ＡＦサイクルの時間も異なる。
【００２５】
図６は、従来のカメラにおける動画撮影中またはライブビュー動作中の静止画撮影動作を示すタイミングチャートである。動画撮影中またはライブビュー動作中の時刻ｔ１においてレリーズＳＷ（レリーズ全押しスイッチ）が操作されると、図５に示す測距、演算および駆動からなるＡＦサイクルを停止した後、時刻ｔ２でシャッター３の後幕を走行させてシャッター３を閉じ、後幕走行完了後にシャッターチャージを行う。シャッターチャージ完了後の時刻ｔ３で撮影を開始し、まずシャッター３の先幕を走行させた後、設定シャッター秒時後にシャッター３の後幕を走行させ、時刻ｔ４で撮影を完了する。
【００２６】
このように、従来のカメラにおける動画撮影中またはライブビュー動作中の静止画撮影動作では、シャッターがレリーズされると測距、演算および駆動からなるＡＦサイクル動作を停止し、後幕走行とシャッターチャージを含む撮影準備時間後に撮像素子４により静止画を撮像している。図６に示す例では、レリーズ直前の測距結果に基づく演算と駆動は実行されないので、それ以前のＡＦサイクルにおける焦点調節状態で静止画撮影が行われる。つまり、ＡＦサイクルにおけるレンズ駆動が完了してから実際に静止画撮影が開始されるまでの間は焦点調節が行われないため、例えば図６に示すようにＡＦサイクルの演算終了間際にシャッターがレリーズされると、ＡＦサイクルで焦点調節を行ってから静止画撮影までの時間が長くなる。そのため、この間に被写体の移動、画角の変化、手ブレなどが発生する可能性が高くなり、意図する主要被写体に対するピントがずれてしまうことがある。
【００２７】
なお、ＡＦサイクルのレンズ駆動中にシャッターレリーズがあった場合にも、直ちにレンズ駆動を停止して静止画撮影の準備に入るため、主要被写体に完全にピントが合わない状態で静止画撮影が行われ、意図する主要被写体に対するピントがずれてしまう。
【００２８】
図７は、一実施の形態のカメラにおける動画撮影中またはライブビュー動作中の静止画撮影動作を示すタイミングチャートである。動画撮影中またはライブビュー動作中の時刻ｔ１においてレリーズＳＷ（レリーズ全押しスイッチ）が操作されると、実行中のＡＦサイクルの動作（図７に示す例では演算）を停止し、改めてＡＦサイクルを開始して測距、演算および駆動を実施する。測距後の時刻ｔ２において、ＡＦサイクルの演算と駆動を開始するとともに、シャッター３の後幕を走行させ、後幕走行完了後にシャッターチャージを行う。そして、レンズ駆動とシャッターチャージの完了後の時刻ｔ３において静止画撮影を開始し、まずシャッター３の先幕を走行させた後、設定シャッター秒時後にシャッター３の後幕を走行させ、時刻ｔ４で撮影を完了する。
【００２９】
なお、図７では動画撮影中またはライブビュー動作中であって、ＡＦサイクルの“演算”中にレリーズＳＷが操作された場合について図示と説明を行ったが、ＡＦサイクルの“駆動”中にレリーズＳＷが操作された場合も同様に、実行中のＡＦサイクルの駆動を停止し、改めてＡＦサイクルを開始して測距、演算および駆動を実施する。
【００３０】
このように、一実施の形態のカメラにおける動画撮影中またはライブビュー動作中の静止画撮影動作では、ＡＦサイクルの演算または駆動中にシャッターがレリーズされると実行中のＡＦサイクル動作を停止し、改めて測距、演算および駆動からなるＡＦサイクル動作を開始するとともに、新しいＡＦサイクルの演算と駆動の動作と並行してシャッター後幕走行とシャッターチャージを含む撮影準備を行い、それらの動作完了後に撮像素子４により静止画を撮像する。このため、ＡＦサイクルによる主要被写体に対する焦点調節が行われた直後に静止画撮影が実行されることになり、動画撮影中またはライブビュー動作中にピントの合った静止画を撮影することができる。
【００３１】
なお、図７に示す一実施の形態のカメラの静止画撮影動作において、ＡＦサイクルにおける測距中または測距終了直後にシャッターがレリーズされた場合には、改めて測距からＡＦサイクルを開始せずに、測距結果を利用して演算と駆動を行うとともに、それらの動作と並行してシャッター後幕の走行とシャッターチャージを行い、レンズ駆動とシャッターチャージの完了後に静止画撮影を行う。実行中のＡＦサイクルの測距を停止してシャッターレリーズ後に改めて測距からＡＦサイクルを開始する場合に比べ、測距動作が不要となってレリーズタイムラグが減少し、動画撮影中またはライブビュー動作中にピントの合った静止画を撮影することができる。
【００３２】
《一実施の形態の変形例》
図８は、一実施の形態のカメラにおける動画撮影中またはライブビュー動作中の変形例の静止画撮影動作を示すタイミングチャートである。上述した一実施の形態では、シャッターレリーズ後に強制的にＡＦサイクル動作を最初から実行する例を示したが、この変形例では、繰り返し実行されるＡＦサイクル動作の途中でシャッターレリーズがあると、そのＡＦサイクル動作後の次のＡＦサイクル動作と並行して撮影準備動作を行い、次のＡＦサイクル動作と撮影準備動作の完了後に静止画撮影を行う。
【００３３】
図８に示すように、ＡＦサイクルの演算途中の時刻ｔ１においてレリーズＳＷ（レリーズ全押しスイッチ）が操作されると、実行中のＡＦサイクル動作をそのまま継続し、次のＡＦサイクルの測距後の時刻ｔ２において、ＡＦサイクルの演算と駆動を開始するとともに、シャッター３の後幕を走行させ、後幕走行完了後にシャッターチャージを行う。そして、レンズ駆動とシャッターチャージの完了後の時刻ｔ３において静止画撮影を開始し、まずシャッター３の先幕を走行させた後、設定シャッター秒時後にシャッター３の後幕を走行させ、時刻ｔ４で撮影を完了する。
【００３４】
なお、図８ではＡＦサイクルの演算中にシャッターレリーズがあった場合の図示と説明を行ったが、ＡＦサイクルの駆動中にシャッターレリーズがあった場合も同様に、実行中のＡＦサイクル動作をそのまま継続し、次のＡＦサイクル動作と並行して撮影準備動作を行い、次のＡＦサイクル動作と撮影準備動作の完了後に静止画撮影を行う。
【００３５】
一方、図８に示すカメラの変形例の静止画撮影動作において、ＡＦサイクルにおける測距中または測距終了直後にシャッターがレリーズされた場合には、次のＡＦサイクルまで待たずに測距結果を利用して演算と駆動を行うとともに、それらの動作と並行してシャッター後幕の走行とシャッターチャージを行い、レンズ駆動とシャッターチャージの完了後に静止画撮影を行う。次のＡＦサイクルを実行した後に静止画撮影を行う場合に比べ、１回のＡＦサイクル動作が省略されてレリーズタイムラグが減少し、動画撮影中またはライブビュー動作中にピントの合った静止画を撮影することができる。
【００３６】
このように、動画撮影中またはライブビュー動作中の変形例の静止画撮影動作では、ＡＦサイクルの演算または駆動中にシャッターがレリーズされると実行中のＡＦサイクル動作をそのまま継続し、次のＡＦサイクルの演算と駆動の動作と並行してシャッター後幕走行とシャッターチャージを含む撮影準備を行い、それらの動作完了後に撮像素子４により静止画を撮像する。このため、ＡＦサイクルによる主要被写体に対する焦点調節が行われた直後に静止画撮影が実行されることになり、動画撮影中またはライブビュー動作中にピントの合った静止画を撮影することができる。
【００３７】
《一実施の形態の他の変形例》
図７および図８に示す上述した一実施の形態とその変形例では、シャッターレリーズ後に測距を行い、測距完了時刻ｔ２にシャッター３の後幕を走行させるタイミングとした。ところで、図２に示すように、撮影画面４ａの広い範囲に亘って複数の焦点検出領域ａ〜ｋを展開した場合、焦点検出領域ごとにシャッター後幕により遮光されるタイミングが異なる。
【００３８】
図９は、上下走行方式のフォーカルプレーンシャッター３における後幕３ａの走行による焦点検出領域ａ、ｋの遮光タイミングを示す。図２に示す撮影画面４ａの上部にある焦点検出領域ａはシャッター後幕３ａの係止位置に近いため、シャッター後幕３ａの係止が解除されて走行を開始した後、すぐに遮光される。これに対し、図２に示す撮影画面４ａの下部にある焦点検出領域ｋはシャッター後幕３ａの係止位置から遠い位置にあり、シャッター後幕３ａの係止が解除されて走行を開始してから遮光されるまでに時間がかかる。
【００３９】
そこで、カメラまたは撮影者によって指定される焦点検出領域の撮影画面内の位置に応じて、後幕走行開始のタイミング、すなわち図７および図８における時刻ｔ２を可変にしてもよい。つまり、静止画撮影に先立ち撮像素子を遮光するために走行するシャッター幕（この一実施の形態ではシャッター後幕）が、係止解除から焦点検出領域の焦点検出用画素を遮光するまでの時間だけ時刻ｔ２を繰り上げて早くしてもよい。シャッター幕の係止位置から遠い焦点検出領域が焦点検出用として指定された場合には、シャッター幕の走行タイミングを繰り上げて早くしても、シャッター幕が走行を開始して指定された焦点検出領域に達するまでに時間がかかるので、指定された焦点検出領域に到達するまでにその焦点検出領域において測距を完了させることができる。
【００４０】
このように、使用する焦点検出領域の位置に応じてシャッター幕の走行開始タイミングを変更することによって、使用する焦点検出領域に応じた最適な静止画撮影のための撮影準備時間を設定することができる。
【００４１】
《一実施の形態の他の変形例》
上述した一実施の形態とその変形例では、先幕と後幕を有するメカニカルなフォーカルプレーンシャッターと、撮像素子上の全画素同時に撮像を行う電子的なグローバルシャッターとを用いた例を示したが、撮像素子上の１行または数行ごとに撮像を行うローリングシャッター（電子シャッター）を用いたカメラに対しても本発明を適用することができる。このローリングシャッターを用いる場合でも、先幕と後幕を備えたフォーカルプレーンシャッターに代えて１枚幕により構成されるメカニカルシャッターが用いられ、撮影前にいったん遮光して撮像素子をリセットする動作を実行する。例えば図７、図８に示す例では、時刻ｔ２からの後幕走行に代えて１枚幕を走行させ、撮像素子へ入射する光をいったん遮光して撮像素子をリセットする。その後、時刻ｔ３の撮影開始直前に１枚幕を開けて撮像素子へ被写体光を導き、撮像素子による撮像を行う。
【００４２】
なお、上述した実施の形態とそれらの変形例において、実施の形態と変形例とのあらゆる組み合わせが可能である。上述した一実施の形態とその変形例では、カメラに静止画撮影を指令する操作部材としてレリーズ全押しスイッチを用いた例を示したが、レリーズ全押しスイッチ以外の例えば専用のスイッチを設けてもよい。また、上述した実施の形態とその変形例では、静止画撮影後は動画撮影またはライブビュー動作を停止する例を示したが、静止画撮影後に動画撮影またはライブビュー動作を再開するようにしてもよい。
【符号の説明】
【００４３】
１；カメラ、２；撮影レンズ、３；シャッター、３ａ；後幕、４；撮像素子、５；ＡＦＥ回路、６；画像処理回路、７；位相差ＡＦ回路、８；シャッター駆動回路、９；レンズ駆動回路、１０；操作部材、１５；コントローラー
【図１】
2013083772.tif 000003
【図２】
2013083772.tif 000004
【図３】
2013083772.tif 000005
【図４】
2013083772.tif 000006
【図５】
2013083772.tif 000007
【図６】
2013083772.tif 000008
【図７】
2013083772.tif 000009
【図８】
2013083772.tif 000010
【図９】
2013083772.tif 000011